(57)【要約】【課題】周囲を走行手段が走行しても操作ハンドルに接触するおそれがなく、操作ハンドルの誤動作、損傷を防止することができる電気機器収納盤を提供する。【解決手段】回路遮断器４を内部に配置した筐体５と、筐体の開口部６を開閉する片開き形式の開閉扉７と、回路遮断器に連結している外部操作ハンドル装置８とを備えている。外部操作ハンドル装置は、回路遮断器に取り付けられた取付け部材９と、取付け部材に設けられ、回転動作が開閉レバーの開閉操作として伝達される回転ハンドル１１とを備えている。開閉扉は、扉表面に操作者の指が入る凹空間１３を設けた凹壁部１４と、凹壁部の底に形成した通過孔１７とを備えており、開閉扉を閉じた際に、外部操作ハンドル装置の回転ハンドルが通過孔を通過し、回転ハンドルが凹壁部の深さより低い高さで底１６から突出する。【選択図】図１
2017153280.tif 000002
【特許請求の範囲】
【請求項１】
開閉レバーを備えた回路遮断器を内部に配置した筐体と、前記筐体の開口部を開閉する片開き形式の開閉扉と、前記回路遮断器に連結している外部操作ハンドル装置と、を備え、
前記外部操作ハンドル装置は、前記回路遮断器に取り付けられた取付け部材と、前記取付け部材に設けられ、回転動作が前記開閉レバーの開閉操作として伝達される回転ハンドルと、を備え、
前記開閉扉は、扉表面に操作者の指が入る凹空間を設けた凹壁部と、前記凹壁部の底に形成した通過孔と、を備えており、
前記開閉扉を閉じた際に、前記外部操作ハンドル装置の前記回転ハンドルが前記通過孔を通過し、前記回転ハンドルが前記凹壁部の深さより低い高さで前記底から突出していることを特徴とする電気機器収納盤。
【請求項２】
回路遮断器を内部に配置した筐体と、前記筐体の開口部を開閉する片開き形式の開閉扉と、前記回路遮断器に連結している外部操作ハンドル装置と、を備え、
前記外部操作ハンドル装置は、前記回路遮断器の開閉レバーに組み付けられ、ドライブ軸が突出しているドライブユニットと、前記開閉扉に設置され、回転動作が前記ドライブユニットを介して前記開閉レバーの開閉操作として伝達される回転ハンドルと、を備え、
前記開閉扉は、扉表面に操作者の指が入る凹空間を設けた凹壁部が形成されており、
前記凹壁部の底に、前記凹壁部の深さより低い高さで前記回転ハンドルが前記底から突出して取付けられ、
前記開閉扉を閉じた際に、前記回転ハンドル及び前記ドライブユニットのドライブ軸が結合することを特徴とする電気機器収納盤。
【請求項３】
前記凹壁部の前記底の周縁から外側に立ち上がっている周壁は、前記底から離間する方向に傾斜して形成されていることを特徴とする請求項１又は２記載の電気機器収納盤。
【発明の詳細な説明】
【技術分野】
【０００１】
本発明は、配電盤や制御盤などの盤内に配置した回路遮断器を盤外から操作することができる外部操作ハンドル装置を備えた電気機器収納盤に関する。
【背景技術】
【０００２】
電気機器収納盤として、例えば特許文献１及び特許文献２のものが知られている。
特許文献１は、片開き式の開閉扉を有する箱形の盤内に回路遮断器が配置され、この回路遮断器の開閉レバーに外部操作ハンドル装置が装着されている。
外部操作ハンドル装置は、回路遮断器の開閉レバーに組み付けられている取付けベースと、取付けベースから突出して形成された円筒形状のハンドルカバーと、ハンドルカバーの内側に回転自在に設けられたロータリー式の操作ハンドルと、を備えている。
また、開閉扉の外壁面は平坦に形成されており、この開閉扉の一部に通過孔が形成されている。
そして、開閉扉を閉じると、外部操作ハンドル装置のハンドルカバー及び操作ハンドルが通過穴を通過して開閉扉の前方に突出し、開閉扉の外部から操作ハンドルの回転操作を行うことで、盤内の回路遮断器の開閉レバーの操作が行われるようになっている。
【０００３】
また、特許文献２の外部ハンドル装置は、片開き式の開閉扉を有する箱形状の盤内に配置した回路遮断器の開閉レバーに組み付けられ、ドライブ軸が突出しているドライブユニットと、外壁面が平坦な開閉扉の一部に装着した操作ハンドルを備えた操作部と、を備えている。そして、開閉扉を閉じると、ドライブ軸と操作軸とが結合し、開閉扉の外部から操作ハンドルの回転操作を行うことで、盤内の回路遮断器の開閉レバーの操作が行えるようになっている。
【先行技術文献】
【特許文献】
【０００４】
【特許文献１】特開２０１５−２３０８１０号公報
【特許文献２】特開２０１４−１２０２４４号公報
【発明の概要】
【発明が解決しようとする課題】
【０００５】
ところで、特許文献１及び特許文献２の電気機器収納盤は、盤の開閉扉を閉じた際に、操作ハンドルが開閉扉の平坦な外壁面から外部に突出した状態となっており、盤の周囲を走行する荷物搬送車などの走行手段が操作ハンドルに接触するおそれがあり、操作ハンドルの誤動作、損傷の面で問題がある。
そこで、本発明は上記事情に鑑みてなされたものであり、周囲を走行手段が走行しても操作ハンドルに接触するおそれがなく、操作ハンドルの誤動作、損傷を防止することができる電気機器収納盤を提供することを目的としている。
【課題を解決するための手段】
【０００６】
上記目的を達成するために、本発明の一態様に係る電気機器収納盤は、開閉レバーを備えた回路遮断器を内部に配置した筐体と、筐体の開口部を開閉する片開き形式の開閉扉と、回路遮断器に連結している外部操作ハンドル装置とを備えている。外部操作ハンドル装置は、回路遮断器に取り付けられた取付け部材と、取付け部材に設けられ、回転動作が開閉レバーの開閉操作として伝達される回転ハンドルと、を備えている。開閉扉は、扉表面に操作者の指が入る凹空間を設けた凹壁部と、凹壁部の底に形成した通過孔とを備えている。そして、開閉扉を閉じた際に、外部操作ハンドル装置の回転ハンドルが通過孔を通過し、回転ハンドルが凹壁部の深さより低い高さで底から突出している。
【発明の効果】
【０００７】
本発明に係る電気機器収納盤によれば、周囲を走行手段が走行しても操作ハンドルに接触するおそれがなく、操作ハンドルの誤動作、損傷を防止することができる
【図面の簡単な説明】
【０００８】
【図１】本発明に係る第１実施形態の電気機器収納盤を示す斜視図である。
【図２】本発明に係る第１実施形態の開閉扉及び回路遮断器に搭載された外部操作ハンドル装置を示す図である。
【図３】本発明に係る第１実施形態において回転扉を閉じた状態を示す図である。
【図４】本発明に係る第２実施形態の電気機器収納盤において開閉扉及び回路遮断器に搭載された外部操作ハンドル装置を示す図である。
【発明を実施するための形態】
【０００９】
次に、図面を参照して、本発明の第１及び第２実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１及び第２実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１０】
［第１実施形態の電気機器収納盤］
図１は、第１実施形態の配電盤や制御盤などからなる電気機器収納盤１を示すものであり、電気機器収納盤１は、第１電気機器２、第２電気機器３及び回路遮断器４を内部に配置している筐体５と、筐体５の前面開口部６を開閉する片開き式の開閉扉７と、を備えている。
回路遮断器４は前面に開閉レバー（不図示）を備えており、この回路遮断器４の前面に、開閉レバーに連繋するドライブ機構を搭載した外部操作ハンドル装置８が装着されている。
【００１１】
外部操作ハンドル装置８は、図２に示すように、回路遮断器４の前面に組み付けられる取付け部材である取付けベース９と、取付けベース９から上部に突出して形成された円筒形状のハンドルカバー１０と、ハンドルカバー１０の内側に回転自在に設けられた回転ハンドル１１とを備えている。
外部操作ハンドル装置８のドライブ機構は、回転ハンドル１１の回転運動を直線運動に変換して回路遮断器４の開閉レバーに伝達するスライドベース（不図示）を備えているとともに、開閉扉７を閉じたときに施錠する扉ロックレバー１２を備えている。
【００１２】
開閉扉７は、図１に示すように、平坦な外壁７ａの一部に操作者の指が入る大きさの凹空間１３を設けた凹壁部１４が形成されている。
図２に示すように、開閉扉７に四角形状の開口部７ｂが形成されており、凹壁部１４は、開口部７ｂの周縁部に固定されている四角枠形状の合成樹脂製の枠体１５と、枠体１５の開閉扉７の裏側に突出して形成した開口部１５ａに固定されたアルミニウム合金からなる底板１６を備え、枠体１５及び底板１６で囲まれた空間が凹空間１３とされている。そして、底板１６の中央部には、ハンドルカバー１０及び回転ハンドル１１を貫通させる通過孔１７が形成されている。
【００１３】
ここで、枠体１５の周壁１５ｂ〜５ｅは、底板１６を固定した開口部１５ａから離間するに従い開口面積が増大するように傾斜した壁として形成されている。
底板１６の内面（外側を向く面）には、底板１６の通過孔１７と同形状の通過穴を形成した化粧板１８が固定され、底板１６の外面（回路遮断器４を向く面）には、通過孔１７と同形状の通過穴を形成した板状の掛け金１９が固定されている。掛け金１９には、開閉扉７を閉じたときに、ドライブ機構の扉ロックレバー１２に係合して開閉扉７をロックするラッチ２０が形成されている。
【００１４】
そして、図３に示すように、開閉扉７を閉じて掛け金１９のラッチ２０が扉ロックレバー１２に係合すると、開閉扉７が施錠され、外部操作ハンドル装置８のハンドルカバー１０及び回転ハンドル１１が、凹壁部１４の底板１６に形成した通過孔１７を通過して凹壁部１４の凹空間１３に位置する。そして、開閉扉７の外部から回転ハンドル１１の回転操作（ＯＮ，ＯＦＦ，ＲＥＳＥＴ）を行うと、筐体５内部の回路遮断器４の開閉レバーを操作することができる。
ここで、図３に示すように、開閉扉７を閉じた際に、凹空間１３に位置している回転ハンドル１１の底板１６からの高さＨ１は、凹壁部１４の底板１６から開口部までの深さＨ２より低く設定されている。
なお、本発明に係る底が底板１６に対応している。
【００１５】
第１実施形態の電気機器収納盤１によると、開閉扉７を閉じたときに、開閉扉７の外部に突出している外部操作ハンドル装置８の回転ハンドル１１は、凹壁部１４の凹空間１３に位置し、回転ハンドル１１の底板１６からの高さＨ１が凹壁部１４の底板１６から開口部までの深さＨ２より低い状態で配置されているので、電気機器収納盤１の周囲を荷物搬送車などの走行手段が走行しても、走行手段が凹壁部１４内の回転ハンドル１１に接触するのを防止することができ、回転ハンドル１１の誤動作、損傷を回避することができる。
また、回転ハンドル１１を配置している凹壁部１４の周壁（枠体１５の周壁１５ｂ〜５ｅ）は、底板１６から離間するに従い開口面積が増大するように傾斜した壁として形成されているので凹空間１３が広い空間となり、操作者による回転ハンドル１１の操作性を良好とすることができる。
【００１６】
［第２実施形態の電気機器収納盤］
次に、図４は、第２実施形態の配電盤や制御盤などからなる電気機器収納盤の要部を示すものであり、第１実施形態で示した構成と同一構成部分には、同一符号を付して説明は省略する。
第２実施形態の開閉扉７は、図４に示すように、平坦な外壁７ａの一部に凹空間２１を設けた凹壁部２２が形成されている。
開閉扉７には四角形状の開口部７ｂが形成されており、凹壁部２２は、開口部７ｂの周縁部に固定されている四角枠形状の合成樹脂製の枠体２３と、枠体２３の開閉扉７の裏側に突出して形成した開口部２３ａに固定されたアルミニウム合金からなる底板２４を備え、枠体２３及び底板２４で囲まれた空間が凹空間２１とされている。そして、底板２４には、後述するドライブ軸２９を貫通させる貫通孔（不図示）が形成されている。
ここで、枠体２３の周壁２３ｂ〜２３ｅ（符号２３ｄの周壁は不図示）は、底板２４を固定した開口部２３ａから離間するに従い開口面積が増大するように傾斜した壁として形成されている。
【００１７】
回路遮断器４は前面に開閉レバー（不図示）を備えており、この回路遮断器４の前面に、開閉レバーに連繋するドライブ機構を搭載した外部操作ハンドル装置２５が装着されている。
外部操作ハンドル装置２５は、回路遮断器４の開閉レバーを設けた前面に、ドライブ軸２９が突出したドライブユニット３０が搭載されているとともに、回路遮断器４を操作する回転ハンドル３１を備えた操作部３２を、凹壁部２２の凹空間２１を固定する底板２４に固定した装置である。そして、開閉扉７を閉じた際に、ドライブ軸２９の先端に形成した係合突起２９ａと、操作部３２の内部に形成した係合穴（不図示）とが結合する。
ここで、凹空間２１に位置している回転ハンドル３１の底板２４からの高さＨ３は、凹壁部２２の底板２４から開口部までの深さＨ４より低く設定されている。
なお、本発明に係る底が底板２４に対応している。
【００１８】
第２実施形態の電気機器収納盤によると、開閉扉７を閉じたときに、開閉扉７の外部に突出している外部操作ハンドル装置２５の回転ハンドル３１は、凹壁部２２の凹空間２１に位置し、回転ハンドル３１の底板２４からの高さＨ３が凹壁部２２の底板２４から開口部までの深さＨ４より低い状態で配置されているので、第２実施形態の電気機器収納盤の周囲を荷物搬送車などの走行手段が走行しても、走行手段が凹壁部２２内の回転ハンドル３１に接触するのを防止することができ、回転ハンドル３１の誤動作、損傷を回避することができる。
また、回転ハンドル３１を配置している凹壁部２２の周壁（枠体２３の周壁２３ｂ〜２３ｅ）は、底板２４から離間するに従い開口面積が増大するように傾斜した壁として形成されているので凹空間２１が広い空間となり、操作者による回転ハンドル３１の操作性を良好とすることができる。
【符号の説明】
【００１９】
１  電気機器収納盤
２  第１電気機器
３  第２電気機器
４  回路遮断器
５  筐体
６  前面開口部
７  開閉扉
８  外部操作ハンドル装置
９  取付けベース（取付け部材）
１０  ハンドルカバー
１１  回転ハンドル
１２  扉ロックレバー
１３  凹空間
１４  凹壁部
７ｂ  開口部
１５ａ  開口部
１５ｂ〜１５ｅ  周壁
１６  底板（底）
１７  通過孔
１８  化粧板
１９  掛け金
２０  ラッチ
Ｈ１，Ｈ３  底板から回転ハンドルの頂部までの高さ
Ｈ２，Ｈ４  凹壁部の底板から開口部までの深さ
２１  凹空間
２２  凹壁部
２３  枠体
２３ａ  開口部
２４  底板（底）
２３ｂ〜２３ｅ  周壁
２５  外部操作ハンドル装置
２９  ドライブ軸
３０  ドライブユニット
３１  回転ハンドル
３２  操作部
【図１】
2017153280.tif 000003
【図２】
2017153280.tif 000004
【図３】
2017153280.tif 000005
【図４】
2017153280.tif 000006